(57)【要約】【課題】乾燥運転時の振動、騒音を低減し、ヒートポンプ装置の性能を向上する。【解決手段】回転ドラム１を回転駆動するモータ３と、圧縮機７と放熱器８と絞り手段９と吸熱器１０とを冷媒が循環するように管路１１で連結したヒートポンプ装置６と、回転ドラム１内に乾燥用空気を送風する送風ファン１２と、回転ドラム１から排出された乾燥用空気を吸熱器１０から放熱器８を経て回転ドラム１へ循環させる送風経路１３とを備え、モータ３および圧縮機７は、回転ドラム１の下方で本体２の底部に設置し、回転ドラム１の重心１ａを含む鉛直線に対して、モータ３と圧縮機７を略対称となる位置に配設したものである。【選択図】図３
2012183144.tif 000002
【特許請求の範囲】
【請求項１】
本体内に回転可能に設けた回転ドラムと、前記回転ドラムを回転駆動するモータと、圧縮機と放熱器と絞り手段と吸熱器とを冷媒が循環するように管路で連結したヒートポンプ装置と、前記回転ドラム内に乾燥用空気を送風する送風ファンと、前記回転ドラムから排出された乾燥用空気を前記吸熱器から前記放熱器を経て前記回転ドラムへ循環させる送風経路とを備え、前記モータおよび前記圧縮機は、前記回転ドラムの下方で前記本体の底部に設置し、前記回転ドラムの重心を含む鉛直線に対して、前記モータと前記圧縮機を略対称となる位置に配設した衣類乾燥機。
【請求項２】
吸熱器および放熱器を含むヒートポンプ装置の重心の位置を、回転ドラムの重心を含む鉛直線に対して、前記回転ドラムを回転駆動するモータの重心位置と略対称となる位置に配設した請求項１記載の衣類乾燥機。
【請求項３】
回転ドラムの重心を含む鉛直線に対して、モータと同一側に前記モータを冷却する第２の送風ファンを設けた請求項１または２記載の衣類乾燥機。
【請求項４】
モータを本体の第１の側面の近傍に配設し、圧縮機を前記第１の側面と対向する第２の側面の近傍に配設した請求項１〜３のいずれか１項に記載の衣類乾燥機。
【請求項５】
送風経路を流れる乾燥用空気を放熱器から回転ドラムの間で加熱するヒータと、前記回転ドラムから排出された乾燥用空気を冷却する熱交換器を設け、前記熱交換器は、前記回転ドラムの下方で、かつ、モータと本体の前面との間に配設した請求項１〜４のいずれか１項に記載の衣類乾燥機。
【請求項６】
熱交換器は、空冷式熱交換器で構成し、前記空冷式熱交換器を冷却する第３の送風ファンと、前記第３のファンにより外気を取り入れる吸気口と、前記吸気口と前記空冷式熱交換器を連通するダクトを設け、前記ダクトの出口を本体内に開口し、機外への排気口を圧縮機またはモータの近傍に設けた請求項５記載の衣類乾燥機。
【請求項７】
ダクトの出口に圧縮機を設け、熱交換器を通過した風で前記圧縮機を冷却するようにした請求項６記載の衣類乾燥機。
【発明の詳細な説明】
【技術分野】
【０００１】
本発明は、衣類等の乾燥を行う衣類乾燥機に関するものである。
【背景技術】
【０００２】
従来、この種の衣類乾燥機は、図７に示すように、ヒートポンプ装置を衣類乾燥の熱源として利用し、乾燥用空気を循環させるようにしたものが一般的である。以下、その構成について説明する。外装ケース５１内に水平軸５２を中心軸として回転する回転ドラム５３を配置している。回転ドラム５３の前面に形成された衣類投入口５４は、外装ケース５１の前面に開口しており、扉５５で開閉されるようにしている。外装ケース５１内には、回転ドラム５３の内部に設定される乾燥室５６を含む循環風路５７を構成している。
【０００３】
循環風路５７は、途中に乾燥室５６、送風室５８、熱交換室５９などを有し、乾燥室５６の空気が回転ドラム５３の背壁に設けられた排気口６０から送風室５８に流れ、熱交換室５９を通って乾燥室５６の前方に設けた吹き出し口６１から乾燥室５６内へと循環するようにしている。
【０００４】
送風室５８にはファン６２が設けられている。また、熱交換室５９には、上流側に吸熱器６３が配置され、吸熱器６３の下流側に放熱器６４が配置されている。これら吸熱器６３と放熱器６４は、圧縮機６５、キャピラリーチューブ等の膨張機構６６などでヒートポンプ装置を構成しており、乾燥室５６から流出した高湿空気は、吸熱器６３で冷却除湿されて低温低湿となり、放熱器６４で加熱されて高温低湿の乾燥空気となる。吸熱器６３で除湿された除湿水は、底部に設けた排水口６７から外装ケース１外へ排水する。
【０００５】
高温低湿の乾燥空気は、吹き出し口６１から乾燥室５６に供給されて衣類の乾燥に供される。循環風路５７の一部を形成する回転ドラム５３の奥壁に排気口６０を覆うようにフィルター６８を装着し、衣類イから出るリントを回収するようにしている。矢印Ａは風の流れを示している。６９は回転ドラム５３とファン６２を回転駆動するモータで、ベルト７０を介して回転ドラム５３に伝達されるとともに、ベルト７１を介してファン６２に伝達されるようにしてあり、モータ６９は、回転ドラム５３の上方の外装ケース５１に取り付けられている（例えば、特許文献１参照）。
【０００６】
また、回転ドラムを駆動するモータを水槽の下部に設け、筐体の上部にヒートポンプ装置の圧縮機を固定した洗濯乾燥機も考えられている（例えば、特許文献２参照）。
【先行技術文献】
【特許文献】
【０００７】
【特許文献１】特開平７−１７８２８９号公報
【特許文献２】特開２００４−１３５７１５号公報
【発明の概要】
【発明が解決しようとする課題】
【０００８】
しかしながら、前記従来の構成では、乾燥運転時に回転ドラム５３が回転によって揺動すると、回転ドラム５３を駆動するモータ６９に伝達され、質量の重いモータ６９が回転ドラム５３の上方の外装ケース５１に取り付けられているため、外装ケース５１の振動、騒音が大きくなるという問題があった。また、回転ドラムを駆動するモータを水槽の下部に設けた構成では、回転ドラムとモータが一体的に大きく揺動し、回転ドラムの上方の筐体に質量の重い圧縮機が取り付けられているため、筐体の振動、騒音が大きくなるという
問題があった。
【０００９】
本発明は、前記従来の課題を解決するもので、乾燥運転時の振動、騒音を低減することができる衣類乾燥機を提供することを目的とする。
【課題を解決するための手段】
【００１０】
前記従来の課題を解決するために、本発明の衣類乾燥機は、回転ドラムを回転駆動するモータと、圧縮機と放熱器と絞り手段と吸熱器とを冷媒が循環するように管路で連結したヒートポンプ装置と、前記回転ドラム内に乾燥用空気を送風する送風ファンと、前記回転ドラムから排出された乾燥用空気を前記吸熱器から前記放熱器を経て前記回転ドラムへ循環させる送風経路とを備え、前記モータおよび前記圧縮機は、前記回転ドラムの下方で本体の底部に設置し、前記回転ドラムの重心を含む鉛直線に対して、前記モータと前記圧縮機を略対称となる位置に配設したものである。
【００１１】
これによって、本体の回転ドラムの下方にモータと圧縮機をバランスよく設置することができ、乾燥運転時の振動、騒音を少なくすることができる。また、モータと圧縮機の相互の熱的悪影響を少なくして圧縮機の温度上昇を抑制することができ、ヒートポンプ装置の性能を向上することができる。
【発明の効果】
【００１２】
本発明の衣類乾燥機は、乾燥運転時の振動、騒音を低減し、ヒートポンプ装置の性能を向上することができる。
【図面の簡単な説明】
【００１３】
【図１】本発明の実施の形態１における衣類乾燥機のシステム系統図
【図２】同衣類乾燥機の縦断面図
【図３】同衣類乾燥機の水平断面図
【図４】本発明の実施の形態２における衣類乾燥機の水平断面図
【図５】本発明の実施の形態３における衣類乾燥機のシステム系統図
【図６】同衣類乾燥機の水平断面図
【図７】従来の衣類乾燥機の断面図
【発明を実施するための形態】
【００１４】
第１の発明は、本体内に回転可能に設けた回転ドラムと、前記回転ドラムを回転駆動するモータと、圧縮機と放熱器と絞り手段と吸熱器とを冷媒が循環するように管路で連結したヒートポンプ装置と、前記回転ドラム内に乾燥用空気を送風する送風ファンと、前記回転ドラムから排出された乾燥用空気を前記吸熱器から前記放熱器を経て前記回転ドラムへ循環させる送風経路とを備え、前記モータおよび前記圧縮機は、前記回転ドラムの下方で前記本体の底部に設置し、前記回転ドラムの重心を含む鉛直線に対して、前記モータと前記圧縮機を略対称となる位置に配設したことにより、本体の回転ドラムの下方にモータと圧縮機をバランスよく設置することができ、本体全体の重心と、回転ドラムの重心を含む鉛直線との左右方向および前後方向のズレを小さくすることができるため、乾燥運転時の振動、騒音を少なくすることができる。また、低振動によりモータの消費電力が低減されるとともに、モータと圧縮機の配設位置が離れるため、モータと圧縮機の相互の熱的悪影響を少なくして圧縮機の温度上昇を抑制することができ、出力がより大きい状態で駆動させることができるようになり、ヒートポンプ装置の性能を向上することができる。
【００１５】
第２の発明は、特に、第１の発明の吸熱器および放熱器を含むヒートポンプ装置の重心の位置を、回転ドラムの重心を含む鉛直線に対して、前記回転ドラムを回転駆動するモータの重心位置と略対称となる位置に配設したことにより、圧縮機と吸熱器および放熱器と
の配管を短くでき、ヒートポンプ装置を小型化して本体内の小さなスペースにコンパクトに配設することができるとともに、ドラム回転時の振動を小さくしてモータの消費電力を少なくすることができる。
【００１６】
第３の発明は、特に、第１または第２の発明の回転ドラムの重心を含む鉛直線に対して、モータと同一側に前記モータを冷却する第２の送風ファンを設けたことにより、モータの小型化等によって質量が軽くなった場合、或いは、回転ドラムの重心を含む鉛直線からの距離によってアンバランスが生じた場合等に、第２の送風ファンによって重心のバランスを保つことができ、乾燥運転時の振動、騒音を少なくすることができるとともに、モータの小型化による駆動時の温度上昇に対して冷却可能になり、モータを適正温度で駆動することができる。
【００１７】
第４の発明は、特に、第１〜第３のいずれか１つの発明のモータを本体の第１の側面の近傍に配設し、圧縮機を前記第１の側面と対向する第２の側面の近傍に配設したことにより、モータと圧縮機を本体内の底部にバランスよく配設して乾燥運転時の振動、騒音を少なくすることができるとともに、本体側面からの放熱が促進され、モータと圧縮機の温度上昇を抑制することができる。
【００１８】
第５の発明は、特に、第１〜第４のいずれか１つの発明の送風経路を流れる乾燥用空気を放熱器から回転ドラムの間で加熱するヒータと、前記回転ドラムから排出された乾燥用空気を冷却する熱交換器を設け、前記熱交換器は、前記回転ドラムの下方で、かつ、モータと本体の前面との間に配設したことにより、前記作用効果に加えて、送風経路内における回転ドラムの一次側、すなわち、回転ドラムへの乾燥用空気の流入側にヒータを配設し、乾燥運転開始時の乾燥用空気の温度上昇を速め、より短時間で衣類を乾燥する構成とした場合、圧縮機を回転ドラムの重心を含む鉛直線に対して、モータと圧縮機をその両側に分散し略対称となる位置に配設することにより、モータと本体の前面との間に形成される空間に熱交換器を設けることができ、ヒートポンプ装置の冷凍サイクルを大きく変えることなく送風経路内にヒータを配設し乾燥時間を短縮することができる。
【００１９】
第６の発明は、特に、第５の発明の熱交換器は、空冷式熱交換器で構成し、前記空冷式熱交換器を冷却する第３の送風ファンと、前記第３のファンにより外気を取り入れる吸気口と、前記吸気口と前記空冷式熱交換器を連通するダクトを設け、前記ダクトの出口を本体内に開口し、機外への排気口を圧縮機またはモータの近傍に設けたことにより、導入した外気による熱交換器での乾燥用空気の熱の冷却に加えて、本体内の圧縮機およびモータも併せて冷却することができる。
【００２０】
第７の発明は、特に、第６の発明のダクトの出口に圧縮機を設け、熱交換器を通過した風で前記圧縮機を冷却するようにしたことにより、導入された外気がダクトを通って熱交換器を通過し、循環する乾燥用空気を冷却した冷却風で圧縮機を効果的に冷却することができ、圧縮機の温度上昇を抑制することができる。
【００２１】
以下、本発明の実施の形態について、図面を参照しながら説明する。なお、この実施の形態によって本発明が限定されるものではない。
【００２２】
（実施の形態１）
図１は、本発明の第１の実施の形態における衣類乾燥機のシステム系統図、図２は、同衣類乾燥機の縦断面図、図３は、同衣類乾燥機のドラムの下部を示す水平断面図である。
【００２３】
図１〜図３において、衣類イを収容して乾燥させる回転ドラム１は、衣類乾燥機の本体２内に回転自在に設けられ、モータ３によりドラムベルト４を介して本体２の前後水平方
向に設けた回転軸５によって回転駆動される。
【００２４】
ヒートポンプ装置６は、冷媒を圧縮する圧縮機７と、圧縮機７で圧縮された高温高圧の冷媒の熱を放熱する放熱器８と、高圧の冷媒の圧力を減圧するためのキャピラリーチューブ等の絞り手段９と、減圧されて低圧となった冷媒が周囲から熱を奪う吸熱器１０とを冷媒が循環するように管路１１で連結している。なお、矢印Ａは冷媒の流れを示している。
【００２５】
モータ３のシャフトに取り付けられた送風ファン１２により送風される乾燥用空気は、衣類イを入れた乾燥室としての回転ドラム１から送風経路１３によってヒートポンプ装置６の吸熱器１０と放熱器８へと導かれる。吸熱器１０では、回転ドラム１内の衣類イと接触して多湿となった乾燥用空気を冷却除湿し、放熱器８では、吸熱器１０で冷却除湿されて低温低湿となった乾燥用空気を加熱し、回転ドラム１へ供給される。
【００２６】
フィルター１４は、回転ドラム１の二次側、すなわち、回転ドラム１からの流出側に少なくとも１つ取り付けられ、乾燥用空気中の衣類イから発生したリントやほこりを回収する。吸熱器１０での熱交換で発生した乾燥用空気の結露水は、吸熱器１０の近傍に設けられた排水ポンプ１５によって本体２の上方に設けられた排水タンク（図示せず）に汲み上げられる。衣類イは、本体２の前面２ａに設けた開閉自在なドア１６から出し入れされる。
【００２７】
モータ３は、本体２内の下部の第１の側面２ｂの近傍に配設し、本体２の背面２ｄ寄りに設けている。また、圧縮機７は、本体２内の下部の第１の側面２ｂと対向する第２の側面２ｃの近傍に配設するとともに、本体２の前面２ａ寄りに設けている。
【００２８】
モータ３と圧縮機７は、回転ドラム１の下方で本体２の底部に設置し、回転ドラム１の重心１ａを含む鉛直線に対して、モータ３と圧縮機７をその両側に所定の距離を隔てた略対称となる位置に分散して配設し、モータ３の重心位置３ａと圧縮機７の重心位置７ａが反対側に位置するように構成している。
【００２９】
放熱器８、絞り手段９および吸熱器１０は、圧縮機７の近傍に配設してヒートポンプ装置６をコンパクトに構成するとともに、放熱器８および吸熱器１０を含むヒートポンプ装置６全体の重心位置６ａが、回転ドラム１の重心１ａを含む鉛直線に対して、回転ドラム１を回転駆動するモータ３の重心位置３ａと反対側に位置するように構成している。ヒートポンプ装置６全体の重心の位置６ａとモータ３の重心の位置３ａは、回転ドラム１の重心１ａを含む鉛直線に対して略対称位置であると、よりバランスよく配設することができる。
【００３０】
乾燥検知手段１７は、回転ドラム１内の前面部に設けてあり、回転ドラム１内で撹拌される衣類イに接触する電極の抵抗値から衣類イの乾燥度を検出する。また、温風温度検知手段１８は、送風経路１３内の放熱器８と回転ドラム１の間に設置され、衣類イに熱量を供給する前の放熱器８から回転ドラム１へ流れる乾燥用空気の温度を検知する。
【００３１】
制御手段１９は、乾燥検知手段１７、温風温度検知手段１８などの情報をもとに、モータ３、圧縮機７、送風ファン１２等を制御して乾燥運転を実行し、回転ドラム１内に投入された衣類イの乾燥をおこなう。なお、矢印Ｂは乾燥用空気の流れを示している。
【００３２】
以上のように構成された衣類乾燥機において、以下その動作、作用を説明する。まず、衣類イ等の乾燥対象をドア１６を開いて回転ドラム１内に置き、乾燥運転を開始すると、モータ３が回転し、回転ドラム１および送風ファン１２が回転して乾燥用空気の流れ（矢印Ｂ）が生じる。乾燥用空気は、回転ドラム１内の衣類イから水分を奪って多湿となった
後、フィルター１４を通過し、送風経路１３内を通ってヒートポンプ装置６の吸熱器１０へ導かれる。
【００３３】
吸熱器１０で低温の冷媒に熱を奪われた乾燥用空気は除湿された後、放熱器８へと運ばれ、吸熱器１０で吸熱された熱量に、圧縮機７からの熱量が加わって高温となった冷媒からの放熱で加熱され、再び回転ドラム１内へと循環される。上記動作の繰り返しによって衣類イの乾燥が進行する。
【００３４】
吸熱器１０によって乾燥用空気が冷却されて除湿した水は、排水ポンプ１５によって本体２の上方に設けられた排水タンク（図示せず）に汲み上げられて貯留される。衣類イの乾燥が進行すると、回転ドラム１による衣類イの撹拌によって衣類イからリントが発生する。衣類イのほつれや衣類イを投入する際に紛れ込んだほこりなどは、フィルター１４で捕捉回収される。
【００３５】
以上のように、本実施の形態においては、モータ３および圧縮機７を、回転ドラム１の下方で本体２の底部に設置し、回転ドラム１の重心１ａを含む鉛直線に対して、モータ３と圧縮機７を略対称となる位置に配設したものであり、本体２の回転ドラム１の下方にモータ３と圧縮機７をバランスよく設置することができ、本体２全体の重心と、回転ドラム１の重心１ａを含む鉛直線との左右方向および前後方向のズレを小さくすることができるため、乾燥運転時の振動、騒音を少なくすることができる。また、低振動によりモータ３の消費電力が低減されるとともに、モータ３と圧縮機７の配設位置が離れるため、共に発熱源でもあるモータ３と圧縮機７の相互の熱的悪影響を少なくして圧縮機７の温度上昇を抑制することができ、出力がより大きい状態で駆動させることができるようになり、ヒートポンプ装置６の性能を向上することができる。
【００３６】
また、吸熱器１０および放熱器８を含むヒートポンプ装置６の重心の位置６ａを、回転ドラム１の重心１ａを含む鉛直線に対して、回転ドラム１を回転駆動するモータ３の重心位置３ａと略対称となる位置に配設したものであり、圧縮機７と吸熱器１０および放熱器８との配管を短くでき、ヒートポンプ装置６を小型化して本体２内の小さなスペースにコンパクトに配設することができるとともに、回転ドラム１の回転時の振動を小さくしてモータ３の消費電力を少なくすることができる。
【００３７】
また、モータ３を本体２の第１の側面２ｂの近傍に配設し、圧縮機７を第１の側面２ｂと対向する第２の側面２ｃの近傍に配設したものであり、本体２内の底部にバランスよく配設して乾燥運転時の振動、騒音を少なくすることができるとともに、本体２の第１の側面２ｂと第２の側面２ｃからの放熱が促進され、モータ３と圧縮機７の温度上昇を抑制することができる。
【００３８】
なお、回転ドラム１の重心１ａを含む鉛直線から、モータ３の重心位置３ａと圧縮機７の重心位置７ａまでの距離と方向は、各々の質量や構成等に応じて最適に設定される。また、モータ３の重心位置３ａとヒートポンプ装置６の重心の位置６ａまでの距離や方向も同様に、各々の質量や構成等に応じて最適に設定される。
【００３９】
また、本実施の形態では、回転軸５を水平方向としたが、本体２の前面側２ａを前上がりに５〜４５度程度傾けることにより、回転ドラム１への衣類イの投入と取り出しを容易にすることができる。
【００４０】
また、本実施の形態では、送風ファン１２はモータ３のシャフトに直結する構成としたが、回転ドラム１の駆動と同様にベルトを介して駆動させてもよく、これにより、送風ファン１２の配置の自由度が高まり、放熱器８の背面側に近接配設して回転ドラム１へ乾燥
用空気を導く構成とすることができるようになり、送風経路１３の圧力損失を低減することができる。
【００４１】
また、本実施の形態では、排水ポンプ１５を用いて除湿水を排水タンクに溜める構成としたが、吸熱器１０の近傍に排水口を設けて本体２外へ排出する構成としてもよい。
【００４２】
また、本実施の形態では、温風温度検知手段１８を設けて乾燥用空気の温度を検知し、モータ３、圧縮機７等を制御する構成としたが、ヒートポンプ装置６の放熱器８近傍の管路１１に冷媒温度検出手段を設け、この冷媒温度検出手段で検知した冷媒温度によって、温風温度を推測する構成としてもよい。
【００４３】
（実施の形態２）
図４は、本発明の第２の実施の形態における衣類乾燥機のドラムの下部を示す水平断面図である。本実施の形態の特徴は、回転ドラム１の重心１ａを含む鉛直線に対して、モータ３と同一側の本体２の前面２ａにモータ３を冷却する第２の送風ファン２０を設けたものである。第２の送風ファン２０により本体２内に外気を導入する吸気口２１を本体２の前面２ａに設け、また、本体２内に導入した外気を本体２外へ排出する排気口２２を圧縮機７の近傍に設けている。他の構成は実施の形態１と同じであり、同一の構成に同一の符号を付して、詳細な説明は実施の形態１のものを援用する。
【００４４】
上記構成により、モータ３の小型化等によって質量が軽くなり、圧縮機７の質量とアンバランスが生じた場合、或いは、圧縮機７と回転ドラム１の重心１ａを含む鉛直線からの距離によってアンバランスが生じた場合等に、第２の送風ファン２０によって重心のバランスを保つことができるようになり、乾燥運転時の振動、騒音を少なくすることができるとともに、モータ３の小型化による駆動時の温度上昇に対して冷却可能になり、モータ３を適正温度で駆動することができる。
【００４５】
また、モータ３と第２の送風ファン２０が、回転ドラム１の重心１ａを含む鉛直線に対して、圧縮機７と所定距離を隔てて略対称となる反対側に配設されるため、第２の送風ファン２０からの冷却風によるモータ３の冷却効果を高めることができる。加えて、排気口２２を圧縮機７の近傍に設けたことにより、冷却風は回転ドラム１の外面と圧縮機７の近傍を通って排気口２２から排出するため、回転ドラム１と圧縮機７の熱を奪い冷却することができる。
【００４６】
回転ドラム１から熱を奪うことは、圧縮機７が冷媒を圧縮する際の仕事による熱量の一部を冷凍サイクル外へと排出することとなり、圧縮機７側と吸熱器１０側の冷媒温度差が維持され、ヒートポンプ装置６が高効率の冷凍サイクルをより長時間維持することができる。
【００４７】
（実施の形態３）
図５は、本発明の第３の実施の形態における衣類乾燥機のシステム系統図、図６は、同衣類乾燥機のドラムの下部を示す水平断面図である。本実施の形態の特徴は、送風経路１３を流れる乾燥用空気を放熱器８から回転ドラム１の間で加熱するヒータ２３と、回転ドラム１から排出された乾燥用空気を冷却する空冷式の熱交換器２４を設け、熱交換器２４は、回転ドラム１の下方で、かつ、モータ３と本体２の前面２ａとの間に配設したものである。
【００４８】
また、空冷式の熱交換器２４を冷却する第３の送風ファン２５と、第３の送風ファン２５により外気を取り入れる吸気口２６と、吸気口２６と熱交換器２４を連通するダクト２７を設け、ダクト２７の出口２７ａを本体２内に開口し、機外への排気口２２を圧縮機７
の近傍に設けたものである。
【００４９】
また、圧縮機７はダクト２７の出口２７ａに対向して設けてあり、ダクト２７内に設けた熱交換器２４を通過した風が圧縮機７に当たって冷却するようにしている。他の構成は実施の形態１と同じであり、同一の構成に同一の符号を付して、詳細な説明は実施の形態１のものを援用する。
【００５０】
送風経路１３内における回転ドラム１の一次側、すなわち、回転ドラム１への乾燥用空気の流入側にヒータ２３を配設し、乾燥運転開始時の乾燥用空気の温度上昇を速め、より短時間で衣類イを乾燥する構成とした場合、回転ドラム１の重心１ａを含む鉛直線に対して、圧縮機７と所定距離を隔てて略対称となる反対側に配設し、モータ３を本体２の背面２ｄ寄りに設けたことにより、モータ３と本体２の前面２ａとの間に形成される空間に熱交換器２４を設けることができるようになり、ヒートポンプ装置６の冷凍サイクルを大きく変えることなく送風経路１３内にヒータ２３を配設し、乾燥時間を短縮することができる。
【００５１】
これによって、放熱器８からの放熱量が少ないヒートポンプ装置６の運転開始直後からヒータ２３によって乾燥用空気の温度を短時間で高めることができ、以降も放熱器８とヒータ２３を同時に用いることによって、より高温の乾燥用空気を回転ドラム１内に供給できるため、より短時間での衣類の乾燥が可能となる。
【００５２】
また、第３の送風ファン２５により吸気口２６から導入された外気がダクト２７を通って熱交換器２４を通過し、循環する乾燥用空気を冷却した冷却風で圧縮機７を効果的に冷却することができ、圧縮機７の温度上昇を抑制することができる。
【００５３】
なお、ヒートポンプ装置６の冷凍サイクルをヒータ２３を入れないときと同様のものとするためには、空冷式の熱交換器２４はヒータ２３の入力と同程度の冷却能力を有するものにすればよい。
【００５４】
なお、本実施の形態では、ヒータ２３の入力分を冷却する熱交換器に空冷式の熱交換器２４を設けたが、他の方式の熱交換器であっても同様の効果が得られるものである。
【産業上の利用可能性】
【００５５】
以上のように、本発明にかかる衣類乾燥機は、乾燥運転時の振動、騒音を低減し、ヒートポンプ装置の性能を向上することができるので、衣類乾燥機として有用である。
【符号の説明】
【００５６】
１  回転ドラム
２  本体
３  モータ
５  回転軸
６  ヒートポンプ装置
７  圧縮機
８  放熱器
９  絞り手段
１０  吸熱器
１１  管路
１２  送風ファン
１３  送風経路
【図１】
2012183144.tif 000003
【図２】
2012183144.tif 000004
【図３】
2012183144.tif 000005
【図４】
2012183144.tif 000006
【図５】
2012183144.tif 000007
【図６】
2012183144.tif 000008
【図７】
2012183144.tif 000009